(57)【特許請求の範囲】
【請求項１】
便器部と、前記便器部に洗浄水を吐水させるための洗浄機能部とを備えた水洗便器において、
昇降可能に設けられ、前記洗浄機能部を収容するカバーケースを備え、
且つ、上昇時に前記カバーケースに貫通形成された開口部と重なるように前記カバーケースの内側に配設された遮蔽部材を備えて構成されていることを特徴とする水洗便器。
【請求項２】
請求項１記載の水洗便器において、
前記遮蔽部材が昇降時に前記開口部と重なるように上下に延設されている水洗便器。
【請求項３】
請求項１または請求項２に記載の水洗便器において、
前記遮蔽部材が、前記カバーケースの昇降に従動しない固定部分に固着して設けられている水洗便器。
【請求項４】
請求項１から３のいずれか一項に記載の水洗便器において、
前記遮蔽部材が、該遮蔽部材の上端側が下端側よりもその幅を大にして形成された拡張部を備え、
前記カバーケースで前記洗浄機能部を収容した状態で前記開口部よりも上方に配される部分に前記拡張部を備えている水洗便器。
【請求項５】
請求項１から４のいずれか一項に記載の水洗便器において、
前記遮蔽部材が、上下方向に延び、昇降する前記カバーケースを支持しつつ案内する凹部を備えて形成されている水洗便器。
【請求項６】
請求項１から請求項５のいずれか一項に記載の水洗便器において、
前記洗浄機能部とともに前記カバーケースに収容して設けられ、洗浄水流路を開閉する開閉弁を手動操作するための手動水洗操作部を備え、
且つ、前記手動水洗操作部が、軸線周りに回動自在に設けられ、回動とともに前記開閉弁を開閉する回動軸部と、前記回動軸部の先端に取り付けられ、使用者が手動操作して前記回動軸部を回動させるための操作ハンドルとを備え、
前記操作ハンドルが、前記回動軸部の軸線方向の前後に進退可能に設けられ、前記カバーケースに貫通形成された開口部から出没可能に設けられるとともに、前記遮蔽部材に貫通形成されたハンドルガイド部に前記軸線方向の前後に進退可能に支持されている水洗便器。
【請求項７】
請求項６記載の水洗便器において、
前記遮蔽部材には前記操作ハンドルの前記軸線周りの回転量を規定する回り止め部が設けられている水洗便器。
【発明の詳細な説明】
【技術分野】
【０００１】
本発明は、水洗便器に関する。
【背景技術】
【０００２】
従来、使用者がリモコン操作することによって洗浄水を吐出させるように構成した水洗便器（水洗トイレ）が多用されている。
【０００３】
また、この種の水洗便器は、一般に、リモコン操作を検知して便器部内に洗浄水を吐出させる洗浄機構部がカバーケースに収容した状態で便器部の後方側に配設されている。さらに、用便後に人体を洗浄するための人体洗浄機構を備える場合には、人体洗浄機構を洗浄機構部とともにカバーケースに収容して構成されている。
【０００４】
さらに、例えば便器を清掃できるようにするため、このカバーケースをリフトアップ（昇降）できるように構成したものがある（例えば、特許文献１、特許文献２参照）。
【０００５】
一方、上記のようにリモコン操作で洗浄機構部が駆動して洗浄水を吐出するように構成した場合には、停電などが生じると、リモコンを操作しても洗浄水を吐出させて水洗することができなくなる。このため、この水洗便器には、手動で水洗を行うための手動水洗操作部が設けられている。
【０００６】
また、この手動水洗操作部は、例えば、洗浄機構部とともにカバーケースに収容され、カバーケースの側部などに設けられた蓋部材を取り外したり、回動して開くことによって手動水洗操作部の操作ハンドルが露出するように構成されている（例えば、特許文献３、特許文献４参照）。そして、使用者が手動水洗操作部の操作ハンドルを回転操作、上下に押圧操作することにより、これに応じて洗浄水流路の開閉弁が開き、洗浄水を手動吐出させることができる。
【０００７】
また、カバーケースは、適宜、上記の手動水洗操作部などの各種機能操作部を操作するための開口部が設けられている（例えば、特許文献５参照）
【先行技術文献】
【特許文献】
【０００８】
【特許文献１】特開２００９−２８５０６０号公報
【特許文献２】特開２００３−１３８６２４号公報
【特許文献３】特開２００１−１５２５３０号公報
【特許文献４】特開２０００−２７２６４号公報
【特許文献５】特開２００４−１５６３４４号公報
【発明の概要】
【発明が解決しようとする課題】
【０００９】
ここで、上記従来の水洗トイレにおいては、便器の清掃を行う際にカバーケースをリフトアップ（昇降）するが、例えば手動水洗操作部を設けるなどするためにカバーケースに開口部を形成した場合には、カバーケースをリフトアップするとき、開口部を塞ぐことができない。このため、カバーケースをリフトアップする際に開口部に使用者の指が入ってしまったり、水が浸入するおそれがある。
【００１０】
なお、開口部に蓋部材を取り付けておくことも考えられるが、このような蓋部材は紛失することも多く、この場合には、やはり開口部が塞がれていない状態でリフトアップすることになってしまう。
【００１１】
本発明は、上記事情に鑑み、洗浄機構部を収容するカバーケースのリフトアップ時（上下方向の昇降時）に、カバーケースに形成された開口部を好適に塞いだ状態にすることができる水洗便器を提供することを目的とする。
【課題を解決するための手段】
【００１２】
上記の目的を達するために、この発明は以下の手段を提供している。
【００１３】
本発明の水洗便器は、便器部と、前記便器部に洗浄水を吐水させるための洗浄機構部とを備えた水洗便器において、昇降可能に設けられ、前記洗浄機構部を収容するカバーケースを備え、且つ、上昇時に前記カバーケースに貫通形成された開口部と重なるように前記カバーケースの内側に配設された遮蔽部材を備えて構成されていることを特徴とする。
【００１４】
この発明においては、カバーケースの内側に、開口部と重なるように遮蔽部材が設けられているため、カバーケースの開口部を遮蔽部材によって塞いだ状態にすることができる。これにより、開口部に使用者の指が入り込んだり、水が入ることを防止できる。
【００１５】
また、本発明の水洗便器においては、前記遮蔽部材が昇降時に前記開口部と重なるように上下に延設されていることが望ましい。
【００１６】
この発明においては、遮蔽部材が上下に延設されていることによって、カバーケースの昇降（リフトアップ）時に、カバーケースの開口部を遮蔽部材によって塞いだ状態にすることができる。
【００１７】
さらに、本発明の水洗便器においては、前記遮蔽部材が、前記カバーケースの昇降に従動しない固定部分に固定して設けられていることがより望ましい。
【００１８】
この発明においては、遮蔽部材がカバーケースの昇降に従動しない固定部分に固定されているため、昇降（リフトアップ）時に開口部を通じて遮蔽部材に指が触れるなどしても、遮蔽部材が外れることがなく、開口部を塞いだ状態を確実に維持することができる。
【００１９】
また、本発明の水洗便器においては、前記遮蔽部材が、該遮蔽部材の上端側が下端側よりもその幅を大にして形成された拡張部を備え、前記カバーケースで前記洗浄機能部を収容した状態で前記開口部よりも上方に配される部分に前記拡張部を備えていることがさらに望ましい。
【００２０】
この発明においては、遮蔽部材が拡張部を備えていることによって、カバーケースを昇降させた際にカバーケースにガタつきが生じた場合であっても、開口部を遮蔽部材で閉塞させた状態を維持することができる。
【００２１】
さらに、本発明の水洗便器においては、前記遮蔽部材が、上下方向に延び、昇降する前記カバーケースを支持しつつ案内する凹部を備えて形成されていることが望ましい。
【００２２】
この発明においては、遮蔽部材が上下方向延びる凹部を備えていることによって、カバーケースを昇降する際にカバーケースを支持して案内することができ、カバーケースのガタつきを抑止することが可能になる。
【００２３】
さらに、本発明の水洗便器においては、前記洗浄機能部とともに前記カバーケースに収容して設けられ、洗浄水流路を開閉する開閉弁を手動操作するための手動水洗操作部を備え、且つ、前記手動水洗操作部が、軸線周りに回動自在に設けられ、回動とともに前記開閉弁を開閉する回動軸部と、前記回動軸部の先端に取り付けられ、使用者が手動操作して前記回動軸部を回動させるための操作ハンドルとを備え、前記操作ハンドルが、前記回動軸部の軸線方向の前後に進退可能に設けられ、前記カバーケースに貫通形成された開口部から出没可能に設けられるとともに、前記遮蔽部材に貫通形成されたハンドルガイド部に前記軸線方向の前後に進退可能に支持されていることがより望ましい。
【００２４】
この発明においては、遮蔽部材にハンドルガイド部を貫通形成することで、手動水洗操作部の操作ハンドルを好適に進退可能に支持することができる。
【００２５】
また、本発明の水洗便器において、前記遮蔽部材には前記操作ハンドルの前記軸線周りの回転量を規定する回り止め部が設けられていることがさらに望ましい。
【００２６】
この発明においては、遮蔽部材に操作ハンドルの回転量を規定する回り止め部が設けられているため、操作ハンドルの過剰な回転を防止することができ、開閉弁を好適に開閉操作することが可能になる。
【発明の効果】
【００２７】
本発明の水洗便器においては、洗浄機構部を収容するカバーケースの昇降時に、カバーケースに形成された開口部を好適に塞いた状態で維持することができる。これにより、カバーケースに開口部が貫通形成されている場合であっても、昇降（リフトアップ）時にこの開口部から指が入り込んだり、水が入ることを防止することが可能になる。
【図面の簡単な説明】
【００２８】
【図１】本発明の一実施形態に係る水洗便器を示す斜視図である。
【図２】本発明の一実施形態に係る水洗便器のカバーケースに収容された状態の洗浄機構部、手動水洗操作部を示す斜視図である。
【図３】本発明の一実施形態に係る水洗便器のカバーケースに収容された状態の洗浄機構部、手動水洗操作部を示す側面図である。
【図４】本発明の一実施形態に係る水洗便器のカバーケースをリフトアップした状態を示す側面図である。
【図５】本発明の一実施形態に係る水洗便器の洗浄機構部、手動水洗操作部を示す斜視図である。
【図６】本発明の一実施形態に係る水洗便器の洗浄機構部、手動水洗操作部を示す平面図である。
【図７】本発明の一実施形態に係る手動水洗操作部の操作ハンドルを進退させた状態を示す側面図である。
【図８】本発明の一実施形態に係る開閉機構（蓋部材）を示す（ａ）正面図、（ｂ）背面図、（ｃ）側面図である。
【図９】本発明の一実施形態に係る開閉機構（蓋部材）の変更例を示す斜視図である。
【図１０】本発明の一実施形態に係る手動水洗操作部の回り止め部を示す図（側面図）である。
【図１１】本発明の一実施形態に係る手動水洗操作部の指掛かり部を示す斜視図である。
【発明を実施するための形態】
【００２９】
以下、図１から図１１を参照し、本発明の一実施形態に係る水洗便器について説明する。
【００３０】
本実施形態の水洗便器Ａは、図１に示すように、便器部１と、便器部１の後方側に設けられ、使用者によるリモコン操作を検知して便器部１内に洗浄水を吐出させる洗浄機構部２と、便座及び便フタからなる便座部３とを備えて構成されている。
【００３１】
また、洗浄機構部２は、給水管が繋がる洗浄水流路に設けられ、リモコン操作によって洗浄水流路を開閉制御するコントロールバルブ、電磁バルブなどの開閉弁を備え、この開閉弁によって、例えばリム吐水（便器部１のリム部（上方）に洗浄水を流す吐水）、ジェット吐水（便器部１の封水部に水を流す吐水）の吐水切替、流量制御を行うように構成されている。
【００３２】
さらに、本実施形態の洗浄機構部２は、図１から図５に示すように、便器部１の後方側に配設されるとともに、カバーケース４に収容されている。また、カバーケース４には、便座部３が回動自在且つ着脱可能に取り付けられている。さらに、このカバーケース４は、上下方向にスライドしてリフトアップ可能に（昇降可能に）取り付けられている。
【００３３】
さらに、本実施形態の水洗便器Ａは、使用者が手動操作することによって開閉弁を開き、洗浄水を手動吐水させるための手動水洗操作部５を備えている。また、この手動水洗操作部５は、洗浄機構部２とともにカバーケース４に収容して設けられている。
【００３４】
また、本実施形態の手動水洗操作部５は、図３から図７に示すように、横方向に延びる軸線Ｏ１周りに回動自在に設けられ、回動するとともに開閉弁を開閉する回動軸部６と、回動軸部６の先端に取り付けられ、使用者が手動操作することによって回動軸部６を回動させるための操作ハンドル７とを備えている。
【００３５】
また、本実施形態の操作ハンドル７は、軸線Ｏ１方向外側（横方向の前後方向前方側）を向く前面に、前方に突出するとともに中心を通って径方向に延びるつまみ部８を備えた略円柱状のハンドル本体９と、ハンドル本体９の後面から後方に突出し、挟み込むようにして回動軸部６に係合する一対の係合片１０とから構成されている。
これにより、操作ハンドル７は、一対の係合片１０が回動軸部６に係合しつつ、回動軸部６の軸線Ｏ１方向（横方向の前後方向）の前後にスライドして進退可能に設けられている。
【００３６】
また、つまみ部８をつまんでハンドル本体９（操作ハンドル７）を軸線Ｏ１周りの一方向または他方向に回転させると、一対の係合片１０が係合していることで回動軸部６が回転する。さらに、例えば、回動軸部６にはカムが設けられており、ハンドル本体９の回転とともにカムが回転し、ダイヤフラムバルブなどの開閉弁が開閉する。例えば、ダイヤスラムバルブの駆動部を水から隔離するように設けられたダイヤフラムが、カムに従動する駆動部の駆動によって引き上げ又は本体の弁座に押し付けられる。
これにより、ハンドル本体９の回転操作に応じて洗浄水流路が開閉し、洗浄水流路が開くことにより手動吐水することができる。
【００３７】
また、本実施形態の手動水洗操作部５には、例えば略Ｌ字状に形成され、ベース部材１１に下端の固定板部１２ａをネジ止めするなどして立設した遮蔽部材１２が具備されている。この遮蔽部材１２は、上下方向に延びる遮蔽部１２ｂがカバーケース４の内面に隣接して配設され、カバーケース４を上下方向にスライド移動させた際に、カバーケース４に形成された開口部１３を遮蔽部１２ｂによって被覆し閉塞した状態を維持するように構成されている。
【００３８】
一方、遮蔽部材１２には、所定位置に外面から内面に貫通する円形状のハンドルガイド部１４が設けられている。そして、遮蔽部材１２のハンドルガイド部１４によって操作ハンドル７のハンドル本体９が支持される。つまり、遮蔽部材１２によって操作ハンドル７が回動軸部６の軸線Ｏ１方向に進退するように案内され、進退自在に支持されている。
【００３９】
また、遮蔽部材１２のハンドルガイド部１４の貫通孔には、図１０に示すように、ハンドル本体９を軸線Ｏ１周りの一方向Ｔ１と他方向Ｔ２にそれぞれ所定の角度で回転させた際に、このハンドル本体９に設けられた係止部１５が当接してハンドル本体９のさらなる回転を規制する回り止め部１６が設けられている。
これにより、例えば、ハンドル本体９（操作ハンドル７）を一方向Ｔ１に回転させてリム吐水、他方向Ｔ２に回転させてジェット吐水させる際に、回り止め部１６によってハンドル本体９が所定の角度で回り止めされ、操作ハンドル７の過剰な回転を防止し開閉弁が好適な状態で開閉するように構成されている。
【００４０】
さらに、図７に示すように、係合片１０、ハンドル本体９には、操作ハンドル７を軸線Ｏ１方向の前後に進退させた際に所定の進出位置及び退避位置でそれぞれ回動軸部６に係合して位置決めするための位置決め係止部（位置決めラッチなど）１７が設けられている。
【００４１】
また、本実施形態では、カバーケース４の所定位置に円形状の開口部１３が貫通形成され、操作ハンドル７は、このカバーケース４に貫通形成された開口部１３から出没可能に設けられている。さらに、操作ハンドル７は、ハンドル本体９が退避状態でカバーケース４よりも内側に配され、進出状態で開口部１３を通じてカバーケース４の外側に突出して配されるように構成されている。
【００４２】
また、本実施形態では、図１１に示すように、操作ハンドル７のつまみ部８の突出方向先端側に、軸線Ｏ１方向に直交（交差）する横方向に突出し、カバーケース４の開口部１３から引き出す際に使用者の指を引っ掛ける指掛かり部１８が設けられている。
【００４３】
さらに、図７、図１１に示すように、本実施形態の操作ハンドル７は、進出状態でカバーケース４をリフトアップ（上下方向に昇降）するとカバーケース４が当接し、この操作ハンドル７を押圧する押圧力を軸線Ｏ１方向後方側に作用させるカバーケース当接部１９を備えて形成されている。
具体的に、本実施形態では、操作ハンドル７を最も進出させた状態でつまみ部８がカバーケース４と上下方向に重なるように配設される。そして、つまみ部８は、最も進出させた状態でカバーケース４と上下方向に重なる部分が凸曲面状に形成され、この凸曲面状の傾斜面によってカバーケース当接部１９が形成されている。そして、進出状態でカバーケース４をリフトアップすると、凸曲面状のカバーケース当接部１９にカバーケース４が当たることで徐々に操作ハンドル７がカバーケース４の内側に引っ込んでゆく。
【００４４】
さらに、本実施形態の水洗便器Ａは、図１、図２、図７に示すように、カバーケース４の開口部１３を開閉する蓋部材（開閉機構）２０が着脱可能に取り付けられている。これにより、通常時は、蓋部材２０によって操作ハンドル７が隠れた状態となって見栄えが確保され、手動吐水操作時には、蓋部材２０を取り外することで、操作ハンドル７の操作が可能とされている。
【００４５】
また、蓋部材２０には、図７及び図８に示すように、開口部１３に取り付けた状態で保持するためのラッチなどの係止保持部２０ａが設けられている。この係止保持部２０ａが蓋部材２０を開口部１３に取り付けるとともにカバーケース４あるいは遮蔽部材１２に係合し、蓋部材２０が保持されるように構成されている。
【００４６】
なお、この蓋部材２０を取り付けた状態でカバーケース４をリフトアップすると、蓋部材２０の突出した係止保持部２０ａが凸曲面状のカバーケース当接部１９に当たり、徐々に操作ハンドル７をカバーケース４の内側に引っ込ませることができる。
【００４７】
さらに、本実施形態の蓋部材２０には取っ手２０ｂが設けられており、この取っ手２０ｂを操作することよって容易に着脱できるようになっている。また、本実施形態の蓋部材２０には、開口部１３に取り付ける際の蓋部材の方向を規制し、開口部１３に対して所定の向きの場合に着脱できるようにするための方向規制部２０ｃが設けられている。例えばカバーケース４が傾斜している場合には蓋部材２０の向きが変わるとしっかりと開口部１３に嵌らない状態で取り付けが行われてしまうことがあるが、この方向規制部２０ｃを設けることにより、蓋部材２０の向きを合わせて開口部１３に着脱するため、常時好適に蓋部材２０を着脱することが可能になる。
【００４８】
また、蓋部材２０は、内面（裏面）にシールや刻印によって文字案内が入れられている。これにより、蓋部材２０の裏面の文字案内によって、ハンドル操作方法の案内や紛失防止の注意喚起などを記すことができる。
【００４９】
さらに、図９に示すように、蓋部材２０に、開口部１３から取り外した際にカバーケース４（開口部１３の外周端部など）に引っ掛けて仮置きするための引掛け部２０ｄが具備されていてもよい。例えば、引掛け部２０ｄを回動自在に蓋部材２０の本体部分に取り付けておき、蓋部材２０を開口部１３から取り外した段階で引掛け部２０ｄを回動してカバーケース４に引掛けるように構成してもよい。
【００５０】
そして、このように構成した場合には、蓋部材（開閉機構）２０を開口部１３から取り外した際に、蓋部材２０をカバーケース４に引掛けて仮置きしておくことができるため、蓋部材２０を取り外した後に紛失してしまうことを防止できる。
【００５１】
また、本実施形態では、図５に示すように、遮蔽部材１２の上端側が下端側よりもその幅を大にして形成されている。そして、この幅を大にした遮蔽部材１２の拡張部１２ｃを備えていることにより、カバーケース４をリフトアップした際にカバーケース４にガタつきが生じた場合であっても、確実に開口部１３を遮蔽部材１２で閉塞させた状態を維持することができる。
【００５２】
また、本実施形態の遮蔽部材１２には、幅方向中央に、厚さ方向に凹み、上端から下端側に延びる凹部１２ｄが形成されている。この凹部１２ｄが設けられていることによって、開口部１３に蓋部材２０を取り付けた状態でカバーケース４をリフトアップした場合であっても蓋部材２０が遮蔽部材１２に干渉することがない。
さらに、遮蔽部材１２に凹部１２ｄを形成した場合、この凹部１２ｄでカバーケース４を支持、案内することができ、カバーケース４のガタつきを抑止することが可能になる。
【００５３】
そして、上記のように構成した本実施形態の水洗便器Ａにおいては、カバーケース４の内側に、開口部１３と重なるように遮蔽部材１２が設けられているため、カバーケース４の開口部１３を遮蔽部材１２によって塞いだ状態にすることができる。また、遮蔽部材１２が上下に延設されていることによって、カバーケース４をリフトアップ（昇降）した場合であってもカバーケース４の開口部１３を遮蔽部材１２によって塞いだ状態にすることができる。これにより、開口部１３に使用者の指が入り込んだり、水が入ることを防止できる。
【００５４】
また、遮蔽部材１２がベース部材１１（カバーケース４の昇降に従動しない固定部分）に固定されているため、開口部１３を通じて遮蔽部材１２に指が触れるなどしても、遮蔽部材１２が外れることがなく、開口部１３を塞いだ状態を確実に維持することができる。
【００５５】
さらに、遮蔽部材１２にハンドルガイド部１４を貫通形成することで、手動水洗操作部５の操作ハンドル７を好適に進退可能に支持することができる。
【００５６】
また、遮蔽部材１２に操作ハンドル７の回転量を規定する回り止め部１６が設けられているため、操作ハンドル７の過剰な回転を防止することができ、開閉弁を好適に開閉操作することが可能になる。
【００５７】
よって、本実施形態の水洗便器Ａにおいては、洗浄機構部２を収容するカバーケース４のリフトアップ時に、カバーケース４に形成された開口部１３を好適に塞いた状態で維持することができる。これにより、カバーケース４に開口部１３が貫通形成されている場合であっても、リフトアップ時にこの開口部１３から指が入り込んだり、水が入ることを防止することが可能になる。
【００５８】
なお、本実施形態の水洗便器Ａにおいては、以下の作用効果を奏功することが可能である。
回動軸部６の軸線Ｏ１方向の前後に進退可能に手動水洗操作部５の操作ハンドル７が設けられ、この操作ハンドル７が退避状態でカバーケース４よりも内側に配されるように構成されているため、操作ハンドル７を退避状態にしてからカバーケース４を上昇させれば、カバーケース４が操作ハンドル７に干渉することがない。また、通常時、操作ハンドル７が退避状態になっていることで、使用者が操作ハンドル７を足で操作したり、いたずらして操作ハンドル７に損傷が生じることを防止できる。
【００５９】
また、操作ハンドル７が進出し、カバーケース４に形成された開口部１３から突出した状態でカバーケース４を上昇させてしまった際に、カバーケース４がカバーケース当接部１９に当接し、カバーケース４が操作ハンドル７を押圧する押圧力を軸線Ｏ１方向後方側に作用させることができる。これにより、操作ハンドル７を開口部１３から突出した状態でカバーケースを上昇させてしまった場合であっても、自動的に操作ハンドル７をカバーケース４の内側に退避させることができ、損傷が生じることを防止できる。
【００６０】
さらに、操作ハンドル７を進退自在に案内、支持するハンドルガイド部１４が設けられていることで、操作ハンドル７を確実に回動軸部６の軸線Ｏ１方向に進退させることができる。
また、操作ハンドル７が進出し、カバーケース４に形成された開口部１３から突出した状態でカバーケース４を上昇させてしまった際に、ハンドルガイド部１４によって操作ハンドル７が軸線Ｏ１方向に進退自在にガイド（支持）されていることで、操作ハンドル７に形成されたカバーケース当接部１９にカバーケース４が当接するとともに確実に安定した状態で操作ハンドル７を軸線Ｏ１方向後方側に退避させることができる。
【００６１】
また、操作ハンドル７を進出させる際に、使用者がカバーケース４の開口部１３に指を入れ、操作ハンドル７をつまんで開口部１３から引き出すことになるが、このとき、操作ハンドル７に指掛かり部１８が設けられていることで、この指掛かり部１８に指をかけて確実且つ容易に操作ハンドル７を引き出すことが可能になる。
【００６２】
さらに、カバーケース４の開口部１３を開閉する蓋部材（開閉機構）２０が設けられていることにより、開口部１３に指が入ったり、水が入ったりすることを防止できるとともに、通常時の見栄えをよくすることが可能になる。
【００６３】
以上、本発明に係る水洗便器の一実施形態について説明したが、本発明は上記の一実施形態に限定されるものではなく、その趣旨を逸脱しない範囲で適宜変更可能である。
【００６４】
例えば、本実施形態では、カバーケース４に形成された開口部１３に蓋部材２０が取り付けられているものとしたが、開口部１３を開閉するための開閉機構には、蓋部材２０の他に、例えばスライド式、シャッター式の開閉機構を採用してもよい。
【００６５】
また、本発明に係る「カバーケースの昇降／リフトアップ」には、スライドで上昇させるだけでなく、洗浄機構部や便器部などを清掃する際にカバーケースが回動するような動作も含まれる。
【００６６】
さらに、本実施形態では、遮蔽部材１２がベース部材１１に取り付けて固定されているものとしたが、この遮蔽部材１２は、洗浄機構部２などのリフトアップ時に動かない部分に固定して設けるようにしてもよい。
【符号の説明】
【００６７】
１      便器部
２      洗浄機構部
３      便座部
４      カバーケース
５      手動水洗操作部
６      回動軸部
７      操作ハンドル
８      つまみ部
９      ハンドル本体
１０    係合片
１１    ベース部材
１２    遮蔽部材
１２ａ  固定板部
１２ｂ  遮蔽部
１２ｃ  拡張部
１２ｄ  凹部
１３    開口部
１４    ハンドルガイド部
１５    係止部
１６    回り止め部
１７    位置決め係止部
１８    指掛かり部
１９    カバーケース当接部
２０    蓋部材（開閉機構）
２０ａ  係止保持部
２０ｂ  取っ手
２０ｃ  方向規制部
２０ｄ  引掛け部
Ａ      水洗便器
Ｏ１    軸線
Ｔ１    一方向
Ｔ２    他方向
【図１】
0006434773.tif 000002
【図２】
0006434773.tif 000003
【図３】
0006434773.tif 000004
【図４】
0006434773.tif 000005
【図５】
0006434773.tif 000006
【図６】
0006434773.tif 000007
【図７】
0006434773.tif 000008
【図８】
0006434773.tif 000009
【図９】
0006434773.tif 000010
【図１０】
0006434773.tif 000011
【図１１】
0006434773.tif 000012